(57)【要約】【課題】  ラップフィルム収納ケースに取り付ける粘着性シートを付帯させたラップフィルムの巻き戻り防止用具を提供する。【解決手段】  幅広のベース板と、このベース板上部に設けられ任意のラップフィルム等のケース開口部上辺に着脱可能な着脱部と、前記ベース板前面左右に設けられたラップフィルムを剥離可能に止める粘着性シートとより構成される。【選択図】図３
2008001421.tif 000002
【特許請求の範囲】
【請求項１】
幅広のベース板と、このベース板上部に設けられ任意のラップフィルム等のケース開口部上辺に着脱可能な着脱部と、前記ベース板前面左右に設けられたラップフィルムを剥離可能に止める粘着性シートとより構成される巻き戻り防止具。
【請求項２】
左右粘着性シート間にあたるベース板位置に下方に突出するとともに下端が前方に湾曲した突出部を備え、突出部は装着時においてケースの歯より下に位置するものであることを特徴とする請求項１記載の巻き戻り防止具。
【請求項３】
左右粘着性シート間にあたるベース板位置下方中央に、切り欠きや窪みによるつまみ口を設けたものであることを特徴とする請求項１記載の巻き戻り防止具。
【請求項４】
一対のベース板と、各ベース板上部に設けられた任意のラップフィルム等のケース開口部上辺に着脱可能な着脱部と、前記各ベース板前面に設けられたラップフィルムを剥離可能に止める粘着性シートとより構成される巻き戻り防止具。
【請求項５】
粘着性シートは表面のほこりやよごれ等を取ることで粘性が復帰するものであり、着脱機構を介してベース板前面に着脱可能に設けられたものであることを特徴とする請求項１，２，３又は４記載の巻き戻り防止具。
【発明の詳細な説明】
【技術分野】
【０００１】  本発明は、粘着性の素材を利用したラップフィルムの巻き戻り防止用具に関するものである。
【背景技術】
【０００２】  従来、ラップフィルム収納ケースに飛び出し片やグリップ状に着脱でき湾曲した突起片を有する防止具があった。
また、着脱式のベース体の中央に粘着材を設けたものがあった。（特許文献１）。
【特許文献１】特開２００３−２３７７８９号公報
【発明の開示】
【発明が解決しようとする課題】
【０００３】  そのために、次のような問題点があった。
（イ）収納ケースに設けられた飛び出し片はフィルムの巻き戻りを多少緩和するが、          根本的な解決になっていない。また、他の飛び出し片のないケースには利用で          きなかった。
（ロ）突起片を有する防止具においても、巻き戻りが発生することが多く確実な防止          になっていない。
（ハ）着脱式ラップフィルム戻り防止具においても、一体の防止具の中央に粘着材が          備えられているため、ラップフィルムの取り出しが不便である。
【課題を解決するための手段】
【０００４】  幅広のベース板と、このベース板上部に設けられ任意のラップフィルム等のケース開口部上辺に着脱可能な着脱部と、前記ベース板前面左右に設けられたラップフィルムを剥離可能に止める粘着性シートとより構成される。
左右粘着性シート間にあたるベース板位置に下方に突出するとともに下端が前方に湾曲した突出部を備え、突出部は装着時においてケースの歯より下に位置するものであることを特徴とする。
一対のベース板と、各ベース板上部に設けられた任意のラップフィルム等のケース開口部上辺に着脱可能な着脱部と、前記各ベース板前面に設けられたラップフィルムを剥離可能に止める粘着性シートとより構成される。
粘着性シートは表面のほこりやよごれ等を取ることで粘性が復帰するものであり、着脱機構を介してベース板前面に着脱可能に設けられたものであることを特徴とする。
左右粘着性シート間にあたるベース板位置下方中央に、切り欠きや窪みによるつまみ口を設けたものであることを特徴とする。
【発明の効果】
【０００５】  粘着性シートを装着させることにより、ラップフィルムが粘着性シートに貼り付くというシート間の効果を利用し、ラップフィルムの巻き戻り防止効果を高める。
粘着性シートを防止具の左右に設けることにより、それぞれの粘着性シートに貼り付き固定されたラップフィルム間に、ベース板に貼り付かず浮き上がった隙間ができ取り出しが容易となる。
ベース板位置の下方に突出部を設けることにより、ラップフィルムの先端部を浮き上がらせ取り出しを容易にする。
ベース板を一対とし、ラップフィルム等のケース開口部左右に装着させることにより、各ベース板間に隙間ができ取り出しを容易にする。また、ベース板の間隔は自由に調整可能であり、ベース板の一体を単体として利用することもできる。
着脱機構を介してベース板前面に粘着性シートを装着させることにより、粘着性シートにほこりやよごれ等が付着し、粘着力が弱くなった場合においても、粘着シートを取り外し、水洗いすることにより繰り返し利用することが可能となる。また、着脱機構を介し、新しい粘着性シートと交換することもできる。
ベース板位置下方中央に切り欠きや窪みによるつまみ口を設けることにより、ラップフィルムの取り出しが容易となる。
【発明を実施するための最良の形態】
【０００６】  以下、本発明の実施の形態について図１から図４を利用して説明する。
本発明はベース板（１）と、着脱部（２）と、突出部（３）と、左右粘着シート（４）、枠（５）、取付部（６）から構成される。
ベース板は横長の方形状の板である。着脱部は、ベース板上部に一体に形成され後方へ折れ曲がったクリップ構造となっている。
ベース板中間下部には下端が前方へ湾曲した形状で突出した突出部が一体に形成されている。この際、突出部は図４に示すように装着状態においてケース蓋の刃より露出する長さであることが望ましい。
ベース板左右には方形で前方へ突出した枠が設けられており、この枠により粘着性シートの取付部が形成される。ベース板左右取付部にはゲル状やシリコン等による粘着性シートがそれぞれ設けられている。この際、粘着性シートは取付部と同形状であり、裏面を両面テープ等で固定した際に枠前面と同一もしくは若干突出した状態となる厚みとなっている。これを両面テープや接着剤で固定する。
本発明は、以上の構成よりなっている。
本発明を使用するときは、図３に示すように、上記巻き戻り防止具をラップフィルム収納ケースのフィルム取り出し口中央に装着させる。ラップフィルムを切り取る時は、収納ケースのフタを十分に開いて、ラップフィルムを水平に引き出し、フタを完全に閉じ、フタの中央を親指で押さえ、箱を内側に傾けてラップフィルムの端から切る。
それにより、ラップフィルムの切り口の一部は粘着性シートにぴたりと貼り付き巻き戻りを防ぐ。また、フィルムの切り口中央部はベース板下方の突出部付近で固定され、次使用時には、突出部付近のラップフィルムをつまめば良く、ラップフィルムの取り出しが容易になる。【０００７】  以下、本発明の第２実施形態について図５を用いて説明する。
本実施形態においては取付部が枠ではなく内側から出し入れできるガイド構造としたものであり、これに合わせた形状の粘着シートとなっている。ベース板左右に設けられたガイド枠の一方が開放され、ベース板の中央から粘着性シートをスライドさせ取付部に装着させる。この場合、粘着性シートのガイド枠と接触するシートの三方の端には凹部が設けられ、ガイド枠側の凸部に沿ってスライドさせはめ込まれる。これにより、粘着性シートにほこりやよごれ等が付着し粘着力が弱くなった場合に、シートを取り出し、水洗いし、水分を拭き取り、再び装着させることにより繰り返し利用できる。また、粘着シートを取り出し新しいシートと交換することも可能である。【０００８】  以下、本発明の第３実施形態について図８を用いて説明する。
ベース板下方中央に切り欠きや窪みによるつまみ口を設ける。これにより、端部が浮き上がった状態になりラップフィルムの取り出しを容易にする。【０００９】  以下、本発明の第４実施形態について図６と図７を用いて説明する。
本発明は一対のベース板と、各着脱部と、各粘着シートから構成される。ベース板は正方形あるいは横長の方形上の板である。各着脱部は、各ベース板上部に一体に形成され後方へ折れ曲がったクリップ構造となっている。各ベース板前面にはゲル状やシリコン等による粘着性シートがそれぞれ設けられている。
本発明を使用するときは、図７に示すように、上記巻き戻り防止具をラップフィルム収納ケースのフィルム取り出し口の左右に装着させる。これにより中央に隙間部が形成され、取り出し時には、そこに位置するラップフィルムの開放端をつまむことで使用できる。
【図面の簡単な説明】
【００１０】
【図１】本発明の斜視図１
【図２】本発明の側面図
【図３】本発明の実施例図１
【図４】本発明の実施例図２
【図５】本発明の斜視図２
【図６】本発明の斜視図３
【図７】本発明の実施例図３
【図８】本発明の斜視図４
【符号の説明】
【００１１】      １  ベース板
２  着脱部
３  突出部
４  粘着性シート
５  枠
６  取付部
７  ガイド枠
８  ラップフィルム収納ケース
９  ラップフィルム
１０  フタ
１１  刃
１２  凹部
１３  凸部
１４  切り欠き
【図１】
2008001421.tif 000003
【図２】
2008001421.tif 000004
【図３】
2008001421.tif 000005
【図４】
2008001421.tif 000006
【図５】
2008001421.tif 000007
【図６】
2008001421.tif 000008
【図７】
2008001421.tif 000009
【図８】
2008001421.tif 000010